(57)【特許請求の範囲】
【請求項１】
型枠内にコンクリートを打設する作業工区内に、前記コンクリートの打設時に使用される締め固め用の振動機の振動を検知するようにセットされる加速度センサー装置と、
該加速度センサー装置に接続したコンクリート打設現場側の無線発信装置と、
該無線発信装置のデータを受信する管理側の無線受信装置と、
該無線受信装置に接続され前記加速度センサー装置からのコンクリート打設開始・終了を検知したデータを受け取り、型枠内に打設されるコンクリートの打設終了とその次のコンクリート打設開始までの時間である打ち重ね時間が設定されていてネットワークを介して接続されている現場管理装置に前記打ち重ね時間のデータを送る管理サーバと、
前記管理サーバから打ち重ね時間のデータを受け取り前記作業工区内におけるコンクリート打設状況に係る帳票印刷の出力をするとともに、管理者用にコンクリートの打設の時間が迫っていることを警告手段で段階的に警告する現場管理装置とで構成されていること、
を特徴とするコンクリート打設用時間管理システム。
【請求項２】
請求項１に記載のコンクリート打設用時間管理システムを構築し、
型枠内に打設されるコンクリートの打設終了に伴う振動機の加振が終了すると、加速度センサー装置を介して前記コンクリート打設終了のデータを受け取った管理サーバにおいて、該管理サーバに設定されている打ち重ね時間の開始となり、
前記管理サーバで設定されている次のコンクリートの打設までの打ち重ね時間が算出されて、その打ち重ね時間のデータがネットワークを介して現場管理装置に送られ、
当該現場管理装置においてコンクリート打設状況の一覧が帳票印刷されるとともに、コンクリートの打設の時間が迫っている場合には警告手段で段階的な警告を管理者にして、コンクリート打設現場でリアルタイムにコンクリートの打ち重ね時間を管理すること、
を特徴とするコンクリート打設用時間管理方法。
【発明の詳細な説明】
【技術分野】
【０００１】
本発明は、建物の柱，壁，梁，床を構築する際に、コンクリートの打設を工区毎に且つ制限される打ち重ね時間内に手順よく施工するように管理する、コンクリート打設用時間管理システムと時間管理方法に関するものである。
【背景技術】
【０００２】
例えば、ＲＣ（鉄筋コンクリート）造建物を構築する際に、その柱，壁，梁，床に現場でコンクリートを打設するには、コンクリートの打継ぎに不都合が生じないように、コンクリート打設管理をする。該コンクリート打設管理項目の一つに打ち重ね時間の管理がある。従来は、部材毎，打設層毎に、打設開始時刻と打設終了時刻とを紙や携帯端末（ＰＤＦ等）に記録し、次層のコンクリート打設開始までの時間を計算しながら、コンクリート打設を進捗させている。尚、コンクリートの打設時間管理ではないが、生コンクリートの搬送時間管理システムとして特許文献１に記載されたものが知られている。
【先行技術文献】
【特許文献】
【０００３】
【特許文献１】特開２０１１−４６０８６号公報
【発明の概要】
【発明が解決しようとする課題】
【０００４】
しかし、従来のコンクリート打設用時間管理方法においては、部材毎のコンクリート打設開始時刻及び終了時刻を管理者が逐一記録する必要があり、測定や記録することを忘れる恐れがある。また、次層打設開始までの時間を部材毎に計算する必要があり、手間が掛かる。更には、計算の間違いや部材の間違いなども生じる。管理帳票を作成するのに、記録した情報を転記する作業が必要であり、転記の際の誤記の恐れもある。本発明は、このような従来の課題を解決するために提案されるものである。
【課題を解決するための手段】
【０００５】
本発明に係るコンクリート打設用時間管理システムの上記課題を解決して目的を達成するための要旨は、型枠内にコンクリートを打設する作業工区内に、前記コンクリートの打設時に使用される締め固め用の振動機の振動を検知するようにセットされる加速度センサー装置と、該加速度センサー装置に接続したコンクリート打設現場側の無線発信装置と、該無線発信装置のデータを受信する管理側の無線受信装置と、該無線受信装置に接続され前記加速度センサー装置からのコンクリート打設開始・終了を検知したデータを受け取り、型枠内に打設されるコンクリートの打設終了とその次のコンクリート打設開始までの時間である打ち重ね時間が設定されていてネットワークを介して接続されている現場管理装置に前記打ち重ね時間のデータを送る管理サーバと、前記管理サーバから打ち重ね時間のデータを受け取り前記作業工区内におけるコンクリート打設状況に係る帳票印刷の出力をするとともに、管理者用にコンクリートの打設の時間が迫っていることを警告手段で段階的に警告する現場管理装置とで構成されていることである。
【０００７】
本発明に係るコンクリート打設用時間管理方法の上記課題を解決して目的を達成するための要旨は、上記コンクリート打設用時間管理システムを構築し、型枠内に打設されるコンクリートの打設終了に伴う振動機の加振が終了すると、加速度センサー装置を介して前記コンクリート打設終了のデータを受け取った管理サーバにおいて、該管理サーバに設定されている打ち重ね時間の開始となり、前記管理サーバで設定されている次のコンクリートの打設までの打ち重ね時間が算出されて、その打ち重ね時間のデータがネットワークを介して現場管理装置に送られ、当該現場管理装置においてコンクリート打設状況の一覧が帳票印刷されるとともに、コンクリートの打設の時間が迫っている場合には警告手段で段階的な警告を管理者にして、コンクリート打設現場でリアルタイムにコンクリートの打ち重ね時間を管理することである。
【発明の効果】
【０００９】
本発明のコンクリート打設用時間管理システムと、その時間管理方法によれば、打設担当者が、部材毎にコンクリートの打設開始時刻と終了時刻とを記録する必要が無く、自動でコンクリート打ち重ね時間が取得され管理される。
また、コンクリート打設工区全体の打ち重ね時間が管理サーバのモニター画面を見るだけで、管理者が一目で把握して管理できるようになる。
更に、コンクリート打ち重ねの時間データを使って管理帳票が即時に出力できる。コンクリート打設時だけでなく、土砂の埋め戻し工事管理にも適用できる、等数々の優れた効果を奏するものである。
【図面の簡単な説明】
【００１０】
【図１】本発明に係るコンクリート打設用時間管理システム１の一部を使用している状態示す平面図である。
【図２】同本発明のコンクリート打設用時間管理システム１の一部を使用している状態示す斜視図である。
【図３】同本発明のコンクリート打設用時間管理システム１の一部を示す説明図である。
【図４】加速度センサー装置によるコンクリートの打設を検知してそのデ−タを表示する説明図である。
【図５】本発明に係るコンクリート打設用時間管理システム１の概略構成図である。
【発明を実施するための形態】
【００１１】
本発明に係るコンクリート打設用時間管理システム１は、図１に示すように、例えば、柱や壁，梁，床の構築に際して、コンクリート打設箇所の近傍に、加速度センサー装置を配設してコンクリート打設に伴う振動を検知することで、コンクリートの打設開始若しくは打設終了の時刻を知るようにして、コンクリートの打設時間管理を行うものである。
【実施例１】
【００１２】
本発明にかかるコンクリート打設用時間管理システム１は、図１乃至図３に示すように、例えば、柱２等の型枠内にコンクリートを打設する作業工区４内に、前記コンクリートの打設時に使用される締め固め用の振動機の振動を検知するようにセットされる加速度センサー装置３と、該加速度センサー装置３に接続したコンクリート打設現場側の無線発信装置５ａと、該無線発信装置５ａのデータを受信する管理側の無線受信装置５ｂと、該無線受信装置にネットワークを介して接続された管理サーバ６（以下、図５参照）と、該管理サーバ６にネットワークを介して接続される現場事務所等における端末コンピュータ６ｂ等とで構成され、前記振動機の振動の開始と終了を前記加速度センサー装置３で検知して、前記管理サーバ６にネットワークで接続された携帯端末６ａ，端末コンピュータ６ｂでコンクリートの打設管理を行うものである。
【００１３】
前記管理サーバ６には、図５に示すように、社内ＬＡＮやインターネット等の有線・無線ネットワークを介してコンクリート打設側の現場管理装置である携帯端末（例えば、ＰＤＡ：Personal Digital Assistant）６ａが接続されている。
【００１４】
前記加速度センサー装置３は、図１乃至図２に示すように、例えば、柱２においては、コンクリートを打設する用意ができた型枠から上に突出している主筋７に万力などを利用した取付金具などによって取り付け固定する。
【００１５】
前記加速度センサー装置３からの振動データは、無線の送受信装置５ａ，５ｂを介して管理サーバ６に送られて、この管理サーバ６で打設時間や打ち重ね時間が計算される。
【００１６】
前記管理サーバ６からのデータが、現場事務所の端末コンピュータ６ｂに出力され、印刷装置６ｃで印刷することができ、モニタ６ｄで帳票などを表示でき、それをコンクリート打設担当者などが確認することができる。
【００１７】
前記携帯端末６ａは、コンクリート打設の現場において、管理作業員が携帯するものであり、図３に示すように、その画面には、作業工区毎の柱２とその柱２のコンクリート打設に関する状態（打設中，残り時間など）とが表示される。また、この携帯端末６ａには、携帯している管理者への警報手段（図示せず）が設けられており、例えば、コンクリートの打設時間が迫っているときに、段階的な警告音を発するようにしたり、合わせて警告の黄色ランプや赤色ランプ（ＬＥＤ：発光ダイオードなど）が点滅するようにしたり、鳴動時間の違いや音の強弱による段階的警告の振動が発せられるようにしたりする手段である。
【００１８】
上記のようなコンクリート打設用時間管理システム１を構築し、コンクリート打設用時間管理方法について説明する。所望のコンクリート打設する作業工区４において、柱の型枠から上に突出している主筋に加速度センサー装置３を固着する。そして、該加速度センサー装置３及び無線発信機５ａの電源をそれぞれＯＮにする。管理サーバ６を立ち上げておくのは勿論である。
【００１９】
そして、作業現場に生コンクリート車が到着してその生コンクリートがコンクート圧送車に送られ、該コンクリート圧送車から柱２の型枠内にコンクリートが打設され、作業員が振動機（棒状バイブレータ）を前記打設されたコンクリート中に差し込んで、コンクリートの充填を密にする。
【００２０】
前記振動機の振動が主筋７を通して上部の加速度センサー装置３に伝達する。該加速度センサー装置３が、図４に示すように、前記振動機の加速度を検知する。コンクリートの打設の終了に伴い、振動機による加振が終了すると、加速度センサー装置３にて検知される加速度が小さくなり、打ち重ね時間の開始となる。
【００２１】
前記打ち重ね時間は、管理サーバにおいて予め設定されており、次のコンクリートの打設（打継ぎ）までの時間が算出され、それが、有線・無線で端末コンピュータ６ｂやＰＤＡ６ａにデータとして送られる。
【００２２】
前記端末コンピュータ６ｂにおいては、モニタ６ｄに作業工区４の各柱２のコンクリート打設状況が一覧され、コンクリート打設時間や終了時間等のデータが定められた書式の帳票にして印刷装置６ｃで印刷できる。また、前記ＰＤＡ６ａでは、図３に示すように、作業工区４全体が画面に表示され、それぞれの柱２におけるコンクリート打設状況が一覧され、作業現場で工事の進捗状況が把握される。管理者は、記録紙などに一々記録する必要が無くなる。更に、コンクリートの打継ぎする時間が迫ってくると、管理者に段階的な警告表示や警告音が発せられるので、コンクリートの打継ぎをうっかり忘れるなどの恐れも無い。
【００２３】
このようにして、前記振動機の振動の開始と終了とを前記加速度センサー装置３で検知して、前記管理サーバ６を介して端末コンピュータ６ｂやＰＤＡ６ａによって、事務所やコンクリート打設現場でリアルタイムにコンクリートの打ち重ね時間を管理できるようになるものである。
【産業上の利用可能性】
【００２４】
本発明に係るコンクリート打設用時間管理システムと時間管理方法は、土砂の埋め戻しの時間管理などにも適用できるものである。
【符号の説明】
【００２５】
１          コンクリート打設用時間管理システム、
２          柱、
３          加速度センサー装置、
４          工区、
５ａ        無線発信装置、              ５ｂ        無線受信装置、
６          管理サーバ、                ６ａ        ＰＤＡ、
６ｂ        端末コンピュータ、          ６ｃ        印刷装置、
６ｄ        モニタ、
７          主筋。
【図１】
0005719672.tif 000002
【図２】
0005719672.tif 000003
【図３】
0005719672.tif 000004
【図４】
0005719672.tif 000005
【図５】
0005719672.tif 000006